(57)【要約】  一つまたは複数のバッテリーセル（２）を収容するバッテリーハウジング（１）であって、蓋面（３）と、床面（４）と、蓋面と床面との間に設けられた密閉プレート（５）と、を含むバッテリーハウジングである。バッテリーセル（２）のための保持フレーム（１０）であって、床部分（１１）と、蓋部分（１２）と、床部分と蓋部分との間に設けられた密閉部分（１３）と、を有する保持フレームである。
2012522341.tif 000002
【特許請求の範囲】
【請求項１】
一つまたは複数のバッテリーセル（２）を収容するバッテリーハウジング（１）であって、
蓋面（３）と、床面（４）と、蓋面と床面との間に設けられた密閉プレート（５）と、を含むバッテリーハウジング。
【請求項２】
前記密閉プレート（５）は一体型に形成されていることを特徴とする請求項１に記載のバッテリーハウジング（１）。
【請求項３】
前記密閉プレート（５）は組立型に形成されていることを特徴とする請求項１または２に記載のバッテリーハウジング（１）。
【請求項４】
前記密閉プレート（５）は少なくとも一つの切り欠き部、特に複数の切り欠き部を有していることを特徴とする請求項１から３のいずれか一項に記載のバッテリーハウジング（１）。
【請求項５】
密閉プレート（５）は複数の密閉プレート要素から形成されており、複数の密閉プレート要素（８）は同一平面に設けられていることを特徴とする請求項１から４のいずれか一項に記載のバッテリーハウジング（１）。
【請求項６】
前記切り欠き部（６）は、隣接して設けられている二つの密閉プレート要素（８）の間に形成されている隙間によって、形成されていることを特徴とする請求項５に記載のバッテリーハウジング（１）。
【請求項７】
前記切り欠き部（６）に、密閉手段（７）が設けられていることを特徴とする請求項６に記載のバッテリーハウジング（１）。
【請求項８】
バッテリーセル（２）のための保持フレーム（１０）であって、
床部分（１１）と、蓋部分（１２）と、床部分と蓋部分との間に設けられた密閉部分（１３）と、を含む保持フレーム。
【請求項９】
前記蓋部分（１２）と前記密閉部分（１３）の間および／または前記密閉部分（１３）と前記床部分（１１）の間に、結合手段（１４）が設けられている請求項８に記載の保持フレーム（１０）。
【請求項１０】
前記保持フレーム（１０）は環状ラックとして形成されていることを特徴とする請求項８または９に記載の保持フレーム（１０）。
【請求項１１】
前記保持フレーム（１０）は、二つのフレーム半分部分（１０'および１０”）から形成されていることを特徴とする請求項８から１０のいずれか一項に記載の保持フレーム（１０）。
【請求項１２】
前記保持フレーム（１０）は、少なくとも部分的に前記バッテリーセル（２）のジャケット（１６）の内部に設けられていることを特徴とする請求項８から１１のいずれか一項に記載の保持フレーム（１０）。
【請求項１３】
前記保持フレーム（１０）は、前記バッテリーセル（２）のジャケット（１６）の外部に設けられていることを特徴とする請求項８から１２のいずれか一項に記載の保持フレーム（１０）。
【請求項１４】
前記保持フレーム（１０）は補強プレート（１７）を含むことを特徴とする請求項８から１３のいずれか一項に記載の保持フレーム（１０）。
【請求項１５】
前記密閉部分（１３）は切り欠き部（６）を有しており、前記切り欠き部は好適に密閉手段（７）を備えていることを特徴とする請求項８から１４のいずれか一項に記載の保持フレーム（１０）。
【請求項１６】
前記保持フレーム（１０）は、バッテリーセル（２）の固定フランジ（１９）を受容する環状溝（１８）を有していることを特徴とする請求項８から１５のいずれか一項に記載の保持フレーム（１０）。
【請求項１７】
前記バッテリーセル（２）のジャケット（１６）は、前記保持フレームの部分に取り付けられていることを特徴とする請求項８から１６のいずれか一項に記載の保持フレーム（１０）。
【請求項１８】
請求項７から１７のいずれか一項に記載の保持フレーム（１０）を複数含む、請求項１から７のいずれか一項に記載のバッテリーハウジング（１）。
【請求項１９】
前記蓋面（３）は複数の蓋部分（１２）から形成されており、前記床面（４）は複数の床部分（１１）から形成されており、前記密閉プレートは複数の密閉部分（１３）から形成されていることを特徴とする請求項１８に記載のバッテリーハウジング（１）。
【請求項２０】
請求項１８または１９に記載のバッテリーハウジング（１）を製造する方法であって、
第一の保持フレーム（１０）を第二の保持フレーム（１０）に当接させるステップと、
前記バッテリーハウジング（１）の軸方向の端部（２１）に、塞ぎプレート（２８）を設けるステップと、
を含む、方法。
【発明の詳細な説明】
【技術分野】
【０００１】
本発明は一つまたは複数のバッテリーセルを収容するバッテリーハウジングと、バッテリーセルのための保持フレームと、に関する。
【背景技術】
【０００２】
従来のバッテリーハウジングは収容室を有しており、前記収容室内にバッテリーセルが収容される。バッテリーセルの電気的接触も冷却も、このような共通の収容室において行われる。
【発明の概要】
【発明が解決しようとする課題】
【０００３】
本発明は、バッテリーセルを収容するバッテリーハウジングを改良することを課題とする。
【課題を解決するための手段】
【０００４】
本発明が解決すべき課題は、一つまたは複数のバッテリーセルを収容するバッテリーハウジングであって、蓋面と、床面と、蓋面と床面との間に設けられた密閉プレートと、を含むバッテリーハウジングによって解決される。
【０００５】
蓋面と床面との間に設けられている密閉プレートは好適に、バッテリーハウジングの第一の室を、前記バッテリーハウジングの第二の室から分離する。分離された空間のうち第一の室は好適に、バッテリーセルの電気的接触のために設けられ、好適に接触室を成し得る。そのために、取り付けられた状態で、バッテリーセルの電流導体は前記第一の室内に延伸し得る。
【０００６】
バッテリーハウジングの第二の室は、バッテリーセルの冷却のために設けられ、好適に冷却室を成し得る。そのために好適に、バッテリーセルの最大部分、特にバッテリーセルの熱伝導部分は、取り付けられた状態で、前記第二の室内に延伸する。このとき密閉プレートは少なくとも一つの切り欠き部を有し、バッテリーセルが前記切り欠き部を貫通して延伸し得るようになっている。これによって、バッテリーセルは少なくとも部分ごとに第一の室内にも第二の室内にも突出する。このとき密閉プレートは、一つのバッテリーセルについてそれぞれ一つの切り欠き部を有するように構成してもよい。それによって、個々のバッテリーセルは独自の切り欠き部を介して、密閉プレートを貫通して延伸し得る。
【０００７】
異なる室を形成することによって、バッテリーセルの接触は、バッテリーセルの冷却から空間的に分離される。これによって特に、冷却と異なる環境条件の下で、接触を行わせることが可能となる。特に接触が閉鎖された気体の環境において行われる一方、冷却は特に液体または環境空気を用いて行われる。冷却を行う媒体は好適に、バッテリーセルに対して直接的に接触できる。特に環境空気を用いる際は上記の形成によって、電気的な接触領域内に凝縮水が到達しないことが保証される。特に環境空気がバッテリーセルを冷却するために用いられる場合、冷却媒体と環境との交換が可能であるように冷却室が接続されていてよい。特にハウジングは冷却室の領域に切り欠き部を有し、前記切り欠き部は特に環境空気がバッテリーハウジングを通過することを可能にする。
【０００８】
密閉プレートは一体型に形成されていてよい。切り欠き部は好適に、密閉プレート内の開口部として形成されている。代替的に、密閉プレートは組立型に形成されていてよく、特に複数の密閉プレート要素によって形成されていてよい。好適に複数の密閉プレート要素は同一平面に設けられている。この場合、切り欠き部は個々の密閉プレート要素における真の開口部によって形成されていてよいが、切り欠き部は好ましくは、隣接して設けられている二つの密閉プレート要素の間に設けられている隙間によって形成されてもよい。これによって密閉プレート要素に実質的な開口部を形成することは必要でなくなる。
【０００９】
個々の密閉プレート要素の縁には、空隙部または隆起部が設けられていてよい。それによって、前記空隙部または隆起部にバッテリーセルの部分を貫通させるための空間が創出される。これによって、密閉プレート要素の取り付けまたは製造が容易になる。密閉プレート要素は切り欠き部の周囲にＵ字形に設けられている。
【００１０】
密閉プレート要素は互いに接触し得るが、密閉プレート要素はまた、互いに離間して形成されていてもよい。密閉プレート要素同士の距離によって生じる隙間は、切り欠き部であってよく、前記切り欠き部を貫通してバッテリー要素が延伸し得る。
【００１１】
切り欠き部には好適に密閉手段が設けられている。密閉手段は切り欠き部と、前記切り欠き部を貫通しているバッテリーセルの間の環状空間をシールする。密閉手段によって好適に、二つの室を互いに気密にシールすることができる。二つの室を互いに気密にシールすることは、他の手段によっても行われる。
【００１２】
本発明が解決すべき課題はまた、バッテリーセルのための保持フレームであって、床部分と、蓋部分と、床部分と蓋部分との間に設けられた密閉部分と、を含む保持フレームによって解決される。床部分は好適に、保持フレームの下方境界を形成する。蓋部分は好適に、保持フレームの上方境界を形成する。密閉部分は前記床部分と前記蓋部分との間に設けられるとともに、好適にバッテリーハウジングにおいて、第一の室を、第二の室から分離するために用いられる。密閉部分はこのとき、さらなる要素、例えばバッテリーハウジングの分離壁と協働することができる。密閉部分は代替的に、隣接して設けられている保持フレームの密閉部分と協働することができる。
【００１３】
蓋部分と密閉部分の間および／または密閉部分と床部分の間に、好適に結合手段が設けられている。結合手段は側方支柱であってよい。前記側方支柱は好適に、保持フレームに矩形の形体を与えている。保持フレームは環状ラックとして形成されていてよい。保持フレームが環状ラックとして形成されているかどうかに関わらず、特に密閉部分、または保持フレームの他の部分は、ラックの内側または外側に設けられていてよい。
【００１４】
保持フレームは好適に、二つのフレーム半分部分から形成されていてよい。前記フレーム半分部分はこのとき、同一に形成され得る。この場合、保持フレームによって保持されるバッテリーセルは、少なくとも部分的に二つのフレーム半分部分の間に受容されていてよい。
【００１５】
保持フレームはまた、部分的にバッテリーセルのジャケットの内部に設けられていてもよい。このとき保持フレームは、電気的セルと共に、共通のジャケットによって包囲される。代替的に保持フレームは、完全にバッテリーセルのジャケットの外部に設けられていてもよい。保持フレームの部分がバッテリーセルのジャケットの内部にあるとともに、保持フレームの部分がバッテリーセルのジャケットの外部にあってよい。
【００１６】
このとき保持フレームは補強プレートを含み得る。その場合、前記補強プレートは部分的に保持フレームの他の構成要素と、特に床部分および／または蓋部分および／または密閉部分と一体的に形成されていてよい。
【００１７】
密閉部分は切り欠き部を有しており、前記切り欠き部は好適に密閉手段を備えている。このとき前記切り欠き部は、片側が開放された状態で形成されていてよい。切り欠き部は特に、密閉部分の縁における窪みまたは空隙部によって形成されていてよい。密閉部分は隣接して設けられている保持フレームの密閉部分と協働し、それによって、保持フレームの密閉部分同士は切り欠き部を形成する。前記切り欠き部を貫通してバッテリーセルが延伸し得る。切り欠き部には密閉要素が設けられる。
【００１８】
保持フレームは好適に、バッテリーセルの固定フランジを受容するための溝を有している。前記溝は好適に環状に形成されていてよい。保持フレームは二つのフレーム半分部分を含み得る。溝は保持フレームを二つのフレーム半分部分に分割し得る。バッテリーセルのジャケットは好適に、保持フレームの部分に取り付けられていてよい。その場合、保持フレーム自体がバッテリーシール部の構成部分を成し得る。
【００１９】
本発明の有利な構成において、上記の種類のバッテリーハウジングは、複数の上記の種類の保持フレームを含んでいる。このとき前記保持フレームは好適に、バッテリーハウジングの部分を成し得る。その場合、特にバッテリーハウジングの蓋面は、保持フレームの複数の蓋部分によって形成されている。また、バッテリーハウジングの床面は、保持フレームの複数の床部分によって形成されていてよい。さらに、バッテリーハウジングの密閉プレートは、保持フレームの複数の密閉プレートによって形成されていてよい。
【００２０】
バッテリーハウジングは複数の保持フレームによって、モジュール式に組み立てられる。これによってバッテリーハウジングの簡単な取り付けが可能となる。その場合まず、バッテリーセルは保持フレームと結合される。続いて、第一の保持フレームが第二の保持フレームに当接される。所望の数の保持フレームおよび、それと共にバッテリーセルが互いに当接されるまで、この工程が複数回繰り返される。軸方向の個々の端部には塞ぎプレートが設けられ、それによって軸方向端部を封止する。保持フレームは互いに固定式に接合され得る。保持フレームは好適に、締結手段を用いて相互に締結され得る。方法において、バッテリーセルが保持フレームと結合されることは、必ずしも必要ではない。保持フレームは例えば、取り付ける前に、すでにバッテリーセルと結合された状態であってもよい。この場合、前記方法は、保持フレームがそれぞれ、さらなる保持フレームに当接されることによって、開始される。
【００２１】
本発明を以下の図面に基づいてより詳しく説明する。図面に示すのは以下の通りである。
【図面の簡単な説明】
【００２２】
【図１】図１ａ）は本発明に係るバッテリーハウジングを有して成るバッテリー構造体を断面で示す図である。図１ｂ）は本発明に係るバッテリーハウジングを有して成るバッテリー構造体を平面で示す図である。
【図２】図２ａ）は図１に示すバッテリーハウジングの密閉プレート要素を第一の実施の形態において示す図である。図２ｂ）は図１に示すバッテリーハウジングの密閉プレート要素を第二の実施の形態において示す図である。
【図３】図３ａ）は第一の実施の形態における本発明に係る保持フレームを断面で示す図である。図３ｂ）は第一の実施の形態における本発明に係る保持フレームを平面で示す図である。
【図４】図４ａ）は第二の実施の形態における本発明に係る保持フレームを断面で示す図である。図４ｂ）は第二の実施の形態における本発明に係る保持フレームを平面で示す図である。
【図５】図５ａ）は第三の実施の形態における本発明に係る保持フレームを断面で示す図である。図５ｂ）は第三の実施の形態における本発明に係る保持フレームを平面で示す図である。
【図６】複数の保持フレームからモジュール式に構成されたバッテリーハウジングを断面において示す図である。
【発明を実施するための形態】
【００２３】
図１において、バッテリー構造体２４が認められる。バッテリー構造体２４はバッテリーハウジング１を有しており、前記バッテリーハウジング内に複数のバッテリーセル２が設けられている。バッテリーセル２は導体２５を有しており、前記導体は、図に示されていない接触要素を介して、特に他のバッテリーセルの導体２５と、接合される。バッテリーハウジング１は蓋面３と床面４を有している。この場合、床面と蓋面という呼び方は、垂直方向の向きに関する限定として理解すべきではない。床面は垂直方向において下を指すとは限らず、蓋面は垂直方向において上を指すとは限らない。前記面は任意の向きに設けられる。蓋面３と床面４の間に密閉プレート５が設けられている。密閉プレート５はバッテリーハウジングの内部空間を二つの室、すなわち接触室２２と冷却室２３とに分ける。切り欠き部６を介して、バッテリーセル２は密閉プレート５を貫通して延伸している。バッテリーセル２と切り欠き部６の間に形成されている環状空間には、密閉手段７が設けられている。前記密閉手段７は、密閉縁またはＯリングとして形成され得る。密閉手段７はそのために、密閉プレート５の溝に受容されていてよい。溝は切り欠き部６において環状に設けられる。密閉プレート５は単独部材または複数部材によって形成される。
【００２４】
図１ｂ）において、密閉プレート５が複数の密閉プレート要素８を介して複数部材から形成されていることが認められる。密閉プレート要素８はそれぞれ切り欠き部６を有しており、前記切り欠き部を介してバッテリーセル２のうちの一つが延伸している。さらに切り欠き部を有していない密閉プレート要素８１も、設けられている。切り欠き部を有していない密閉プレート要素は、バッテリーハウジング１の縁部に設けられており、前記縁部にはバッテリーセルが設けられていない。切り欠き部を有していない密閉プレート要素８１は、複数部材から形成されている密閉プレート５の外側の端部を形成している。
【００２５】
図に示すように、単独部材、または複数の密閉プレート要素８を介して複数部材によって形成される密閉プレート５によって、バッテリーハウジングの内部は気密に、二つの室に区分される。このときバッテリーセルを冷却するために冷却室２３内に設けられている媒体は、接触室２２内に到達できない。その場合、接触室２２における導体２５の接触は、簡単になる。その理由は、接触室２２内の環境に対して、個々の導体２５を具体的にシールすることを考慮する必要がなくなるというものである。
【００２６】
密閉プレート５は好適に、導体シール部２６の高さに設けられている。導体シール部２６はバッテリーセル２の領域であって、前記領域において導体２５がバッテリーセル２のジャケット１６を介して延伸する。通常バッテリーセルは、導体シール部２６の領域において、バッテリーセル２の他の領域よりも狭いので、密閉すべき切り欠き部６は、基本的に比較的小さな、特に比較的狭いものが設けられている。
【００２７】
図２ａ）は、第一の実施の形態における密閉プレート要素８を示している。切り欠き部６は前記密閉プレート要素８の中央に設けられており、完全に前記密閉プレート要素８によって包囲されている。密閉プレート要素８は切り欠き部６をＯ字形に包囲している。代替的に図２ｂ）は、密閉プレート要素８'の第二の実施の形態を示している。この場合、切り欠き部６'は半開放型の切り欠き部として形成されており、窪みの形状を有している。このとき密閉プレート要素８'は、切り欠き部６'の周囲にＵ字形に形成されている。
【００２８】
図３はジャケット１６を備えるバッテリーセル２を示しており、前記ジャケットは、本発明に係る保持フレーム１０内に保持されている。保持フレーム１０は床部分１１と、蓋部分１２と、密閉部分１３とを有している。床部分１１と、蓋部分１２と、密閉部分１３とは、水平に設けられた支柱によって概ね形成されている。結合手段１４が設けられている。第一の結合手段は垂直方向の支柱１４’として形成されており、蓋部分１２を密閉部分１３に結合している。第二の結合手段はそれぞれ、垂直方向の支柱１４”として設けられており、床部分１１を密閉部分１３に結合している。矩形状に周回する保持フレーム１０が形成される。
【００２９】
図３ａ）において特に、床部分に溝１８が設けられているのが認められる。前記溝内に、バッテリーセル２の固定フランジ１９が延伸している。溝１８は密閉部分１３にも設けられている。図には示されていないが、溝１８は、密閉部分１３を床部分１１に結合している支柱１４”にも設けられている。このように溝１８は、密閉部分１３と、床部分１１と、結合手段１４”とによって形成されている矩形のフレームの周囲を一巡する、環状溝として形成されている。前記溝に、固定フランジ１９として形成されている、バッテリーセル２の縁が収容されている。
【００３０】
本図において溝１８は一貫して形成されている。すなわち、前記溝はそれぞれ、保持フレーム１０を二つのフレーム半分部分１０'および１０”に分けている。これによってバッテリーセル２を保持フレームに装入することが容易になる。バッテリーセル２がまずフレーム半分部分１０'および１０”のうちの一つに載置され、その後、もう一つのフレーム半分部分１０'および１０”が、装入されたバッテリーセル２に載置されるためである。場合によって二つのフレーム半分部分１０'および１０”は互いに締結される。それによってバッテリーセルは保持フレーム１０内部に固定的に保持されている。
【００３１】
図４は、第二の実施の形態における保持フレーム１０１を示している。前記保持フレームは基本的に、図３に示す第一の実施の形態による保持フレームと一致している。相違点のみについて以下に説明する。保持フレーム１０１は補強プレート１７を有している。前記補強プレートは垂直方向に床部分１１から密閉部分１３まで延在している。補強プレート１７はこのとき、バッテリーセル２の向きに対して平行に設けられている。補強プレート１７はバッテリーセル２のジャケット１６内部に設けられている。補強プレート１７はバッテリーセル２のセルスタック２７の間に設けられている。補強プレート１７は熱伝導プレートとして用いられ、熱をセルスタック２７からバッテリーセル２の外部領域に伝える。保持フレーム１０１は図３に示す保持フレーム１０に対して、密閉部分１３と床部分１１との間に支柱１４'を有していない。
【００３２】
図５は、第三の実施の形態における保持フレーム１０２を示している。前記保持フレームは基本的に、図３に示す第一の実施の形態による保持フレームと一致している。相違点のみについて以下に説明する。保持フレーム１０２は、床部分１１と密閉部分１３とに加えてフレームを有しており、前記フレームは部分的にジャケット１６内部に設けられている。ジャケット１６はこのように床部分１１２と密閉部分１３２の部分に取り付けられている。ジャケット１６はまた、隠されているとともに、破線で表された保持フレーム１０２の支柱に取り付けられている。このとき保持フレーム１０２はそれ自体で、ジャケット１６のシール部の構成部分を成している。
【００３３】
図６はバッテリー構造体２４を示しており、前記バッテリー構造体は複数の保持フレーム１０と、前記保持フレーム１０内に設けられているバッテリーセル２とから、モジュール式に構成されている。この場合、バッテリーハウジング１の部分は、保持フレーム１０の異なる部分によって形成されている。このようにバッテリーハウジング１の蓋面は、保持フレーム１０の複数の蓋部分１２によって形成されている。またバッテリーハウジング１の床面４は、保持フレーム１０の複数の床部分１１によって形成されている。さらにバッテリーハウジング１の密閉プレート５は、保持フレーム１０の複数の密閉部分１３によって形成されている。床部分１１と蓋部分１２はそれぞれ、互いに気密に当接した状態で設けられており、それによって部分１１，１２，１３はそれぞれ気密な面もしくはプレートを生じさせる。個々の保持フレーム１０は、図に示されていない結合手段を介して互いに固定的に結合されていてよい。このとき、特に締結手段が設けられていてよく、前記締結手段は保持フレーム１０を互いに締結する。バッテリーハウジング１の軸方向の端部にはそれぞれ、塞ぎプレート２８が設けられており、前記塞ぎプレートはバッテリーハウジング１を封止する。保持フレーム１０の側方支柱１４は、前記保持フレームの他の部分と同じように、互いに当接した状態で設けられており、バッテリーハウジングを側方において画定する。
【符号の説明】
【００３４】
１  バッテリーハウジング
２  バッテリーセル
３  蓋面
４  床面
５  密閉プレート
６  切り欠き部
７  密閉手段
８  密閉プレート要素
９  隙間
１０  保持フレーム  
１１  床部分
１２  蓋部分
１３  密閉部分
１４  結合手段
１０'，１０”  フレーム半分部分
１６  ジャケット
１７  補強プレート
１８  溝
１９  固定フランジ
２０  塞ぎプレート
２１  軸方向端部
２２  接触室
２３  冷却室
２４  バッテリー構造体
２５  導体
２６  導体シール部
２７  セルスタック
２８  塞ぎプレート
【図１ａ）】
2012522341.tif 000003
【図１ｂ）】
2012522341.tif 000004
【図２ａ）】
2012522341.tif 000005
【図２ｂ）】
2012522341.tif 000006
【図３ａ）】
2012522341.tif 000007
【図３ｂ）】
2012522341.tif 000008
【図４ａ）】
2012522341.tif 000009
【図４ｂ）】
2012522341.tif 000010
【図５ａ）】
2012522341.tif 000011
【図５ｂ）】
2012522341.tif 000012
【図６】
2012522341.tif 000013
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
一つまたは複数のバッテリーセル（２）を収容するバッテリーハウジング（１）であって、
蓋面（３）と、床面（４）と、蓋面と床面との間に設けられた密閉プレート（５）と、  を含むバッテリーハウジングにおいて、
前記密閉プレートは前記バッテリーハウジングの第一の室を、前記バッテリーハウジングの第二の室から分離し、
前記第一の室は、前記バッテリーセルの電気的接触のために設けられており、
前記第二の室は、前記バッテリーセルの冷却のために設けられていることを特徴とするバッテリーハウジング。
【請求項２】
前記第一の室は、前記バッテリーセルの電気的接触のために装備されており、
前記第二の室は、前記バッテリーセルの冷却のために装備されていることを特徴とする、請求項１に記載のバッテリーハウジング。
【請求項３】
前記第一の室および前記第二の室は、バッテリーセルの電流導体が、取り付けられた状態で、前記第一の室内に延伸するとともに、バッテリーセルの最大部分、特にバッテリーセルの熱伝導部分が、取り付けられた状態で、前記第二の室内に延伸するように構成されていることを特徴とする請求項２に記載のバッテリーハウジング。
【請求項４】
前記密閉プレート（５）は一体型に形成されていることを特徴とする請求項３に記載のバッテリーハウジング（１）。
【請求項５】
前記密閉プレート（５）は組立型に形成されていることを特徴とする請求項１から４のいずれか一項に記載のバッテリーハウジング（１）。
【請求項６】
前記密閉プレート（５）は少なくとも一つの切り欠き部、特に複数の切り欠き部を有していることを特徴とする請求項１から５のいずれか一項に記載のバッテリーハウジング（１）。
【請求項７】
密閉プレート（５）は複数の密閉プレート要素から形成されており、複数の密閉プレート要素は同一平面に設けられていることを特徴とする請求項１から６のいずれか一項に記載のバッテリーハウジング（１）。
【請求項８】
前記切り欠き部（６）は、隣接して設けられている二つの密閉プレート要素（８）の間に形成されている隙間によって、形成されていることを特徴とする請求項７に記載のバッテリーハウジング（１）。
【請求項９】
前記切り欠き部（６）に、密閉手段（７）が設けられていることを特徴とする請求項８に記載のバッテリーハウジング（１）。
【請求項１０】
請求項１から９のいずれか一項に記載のバッテリーセル（２）のための保持フレーム（１０）であって、
床部分（１１）と、蓋部分（１２）と、床部分と蓋部分との間に設けられた密閉部分（１３）と、を含む保持フレーム。
【請求項１１】
前記蓋部分（１２）と前記密閉部分（１３）の間および／または前記密閉部分（１３）と前記床部分（１１）の間に、結合手段（１４）が設けられている請求項１０に記載の保持フレーム（１０）。
【請求項１２】
前記保持フレーム（１０）は環状ラックとして形成されていることを特徴とする請求項１０または１１に記載の保持フレーム（１０）。
【請求項１３】
前記保持フレーム（１０）は、二つのフレーム半分部分（１０'および１０”）から形成されていることを特徴とする請求項１０から１２のいずれか一項に記載の保持フレーム（１０）。
【請求項１４】
前記保持フレーム（１０）は、少なくとも部分的に前記バッテリーセル（２）のジャケット（１６）の内部に設けられていることを特徴とする請求項１０から１３のいずれか一項に記載の保持フレーム（１０）。
【請求項１５】
前記保持フレーム（１０）は、前記バッテリーセル（２）のジャケット（１６）の外部に設けられていることを特徴とする請求項１０から１４のいずれか一項に記載の保持フレーム（１０）。
【請求項１６】
前記保持フレーム（１０）は補強プレート（１７）を含むことを特徴とする請求項１０から１５のいずれか一項に記載の保持フレーム（１０）。
【請求項１７】
前記密閉部分（１３）は切り欠き部（６）を有しており、前記切り欠き部は好適に密閉手段（７）を備えていることを特徴とする請求項１０から１６のいずれか一項に記載の保持フレーム（１０）。
【請求項１８】
前記保持フレーム（１０）は、バッテリーセル（２）の固定フランジ（１９）を受容する環状溝（１８）を有していることを特徴とする請求項１０から１７のいずれか一項に記載の保持フレーム（１０）。
【請求項１９】
前記バッテリーセル（２）のジャケット（１６）は、前記保持フレームの部分に取り付けられていることを特徴とする請求項１０から１８のいずれか一項に記載の保持フレーム（１０）。
【請求項２０】
請求項１０から１９のいずれか一項に記載の保持フレーム（１０）を複数含む、請求項１から９のいずれか一項に記載のバッテリーハウジング（１）。
【請求項２１】
前記蓋面（３）は複数の蓋部分（１２）から形成されており、前記床面（４）は複数の床部分（１１）から形成されており、前記密閉プレートは複数の密閉部分（１３）から形成されていることを特徴とする請求項２０に記載のバッテリーハウジング（１）。
【請求項２２】
請求項２０または２１に記載のバッテリーハウジング（１）を製造する方法であって、
第一の保持フレーム（１０）を第二の保持フレーム（１０）に当接させるステップと、
前記バッテリーハウジング（１）の軸方向の端部（２１）に、塞ぎプレート（２８）を設けるステップと、
を含む、方法。
【国際調査報告】
2012522341.tif 000014
2012522341.tif 000015
2012522341.tif 000016
2012522341.tif 000017
2012522341.tif 000018
2012522341.tif 000019